(57)【要約】【課題】機体内部に結露が発生しない衛生洗浄装置を提供する。【解決手段】便器からの湿気の侵入を防止する湿気侵入防止部材を、衛生洗浄装置の本体ケース内に設置し執権の侵入を防止するとともに、脱臭装置の臭気吸引口から排気口までを構成するダクトに密閉構造を持たせているので、ダクトを構成する部品間の隙間から衛生洗浄装置内部へ湿気を帯びた空気を洩らさないので、前記衛生洗浄装置内部に湿気を帯びた空気が侵入し、滞留・停留することなく、機体内部での結露の発生を防ぐことができる。【選択図】    図５
2004232404.tif 000002
【特許請求の範囲】
【請求項１】
便器上に設置され、水路開閉手段を有した給水装置と、前記給水装置から供給された水を湯にする温水タンクと、前記温水タンクからの湯により人体局部を洗浄するノズルと、前記給水装置と前記温水タンクと前記ノズルを制御する制御装置と、前記給水装置と前記温水タンクと前記ノズルを収容する本体ケースとを備えた衛生洗浄装置において、前記便器からの湿気の侵入を防止する湿気侵入防止部材を、前記本体ケース内に設置したことを特徴とする衛生洗浄装置
【請求項２】
前記便器内に発生した臭気を吸引し無臭化したのち前記衛生洗浄装置の外部に排出する脱臭装置を備え、前記脱臭装置は臭気吸引口から排気口までを構成するダクトに密閉構造を持つことを特徴とする請求項１記載の衛生洗浄装置。
【請求項３】
前記ノズルは、前記本体ケースの左右方向の略中央に配しされ、前記湿気防止部材は、前記温水タンクの前記ノズルを挟んで反対側のみ配したことを特徴とする請求項１又は請求項２記載の衛生洗浄装置
【発明の詳細な説明】
【０００１】
【発明の属する技術分野】
本発明は、便器上に配置され、温水により人体局部を洗浄する衛生洗浄装置に関するものである。
【０００２】
【従来の技術】
清掃性の向上、及びトイレ空間の居住性向上の為に、衛生洗浄装置をコンパクト化する必要がある。衛生洗浄装置本体の外郭部横幅の縮小化及び袖部を廃止することによってコンパクト化を実現している。そのような衛生洗浄装置に脱臭装置を搭載する場合、脱臭装置により無臭化された空気を衛生洗浄装置外郭ケース側面または背面部に設けられた開口部を介して衛生洗浄装置外部へ排気させる必要がある。
【０００３】
更に組立上の制限により脱臭装置排気口と衛生洗浄装置外郭ケースの間には、数ミリの隙間を設ける必要がある。一方、衛生洗浄装置は局部洗浄中に、温水を多量に吐水する。温水を多量に吐水した場合、特に冬場など気温の低い場合には大量の湯気、つまり湿気を帯びた空気が吐水口付近から発生する場合があるが、その際、脱臭装置を作動させていると、臭気のみならず湿気を帯びた空気も脱臭装置内に吸引されてしまう。したがって、前記衛生洗浄装置においては脱臭装置吸引口より湿気を帯びた空気が脱臭装置ダクト内へ進入し、更には前記脱臭排気口と衛生洗浄装置外郭ケースの隙間より衛生洗浄装置内部へ侵入することになる。局部洗浄時間が長い場合、特に、吐水口付近に大量に発生した湿気を帯びた空気が衛生洗浄装置内部へ侵入することになる。
【０００４】
また、脱臭装置の作動及び局部洗浄によって脱臭装置ダクト内へ吸引された湿気を帯びた空気が、脱臭装置のダクトを構成する部品同士の接続部、数ミリの隙間より衛生洗浄装置内部へ侵入することがあった。従来その対策として、脱臭装置を密閉構造とし、便器内の湿気を衛生洗浄装置内に侵入させない構造をとった（例えば、特許文献１）。
【０００５】
【特許文献１】
特開２００２−２７５９９０号公報
【０００６】
【発明が解決しようとする課題】
前記衛生洗浄装置の本体内部は周囲気温が低い場合、周囲気温と同様に低い温度状態であることが多い。この低い温度状態の機構内部に大量の湿気を帯びた空気が侵入すると、低い温度状態に置かれている部品に湿気を帯びた空気が直接触れることになるので、前記湿気を帯びた空気が触れた部分に結露が発生し、結露水が生じる場合があった。この為、内機部品の電子部品に水滴がつき故障の原因になる場合があった。さらに前記結露水の発生が大量の場合は前記衛生洗浄装置の外部に前記結露水が漏れだして床などを濡らしてしまう不具合があった。従来技術では、脱臭装置の吸引口より侵入した湿気を帯びた空気を衛生洗浄装置内に侵入させない構造であるが、衛生洗浄装置の底面には局部洗浄用ノズルの開口部が設けられていて、その開口部より湿気を帯びた空気が衛生洗浄装置内に侵入する。
【０００７】
【課題を解決するための手段及びその作用・効果】
上記課題を解決するために請求項１は、便器上に設置され、水路開閉手段を有した給水装置と、前記給水装置から供給された水を湯にする温水タンクと、前記温水タンクからの湯により人体局部を洗浄するノズルと、前記給水装置と前記温水タンクと前記ノズルを制御する制御装置と、前記給水装置と前記温水タンクと前記ノズルを収容する本体ケースとを備えた衛生洗浄装置において、前記便器からの湿気の侵入を防止する湿気侵入防止部材を、前記本体ケース内に設置した。よって、便器内より発生した湿気を帯びた空気が衛生洗浄装置内に侵入することが防止できる。
【０００８】
請求項２では、請求項１記載の衛生洗浄装置において、便器内に発生した臭気を吸引し無臭化したのち前記衛生洗浄装置の外部に排出する脱臭装置を備え、前記脱臭装置は臭気吸引口から排気口までを構成するダクトに密閉構造を持つことにより、前記衛生洗浄装置の脱臭装置の作動により脱臭装置吸引口から吸引される湿気を帯びた空気を衛生洗浄装置内部へ侵入させることを阻み、衛生洗浄装置内部の結露発生を防ぐことができる。便器内より発生した湿気を帯びた空気が衛生洗浄装置内に侵入することが防止できる。
【０００９】
請求項３では、請求項１又は請求項２記載の衛生洗浄装置において、前記ノズルは前記本体ケースの左右方向の略中央に配しされ、前記湿気防止部材は、前記温水タンクの前記ノズルを挟んで反対側のみ配した。よって、前記温水タンクによって結露の発生が防止できているところ以外に、前記湿気防止部材を配することにより、適切な位置に配することができる。
【００１０】
【発明の実施の形態】
本発明の一形態について図面を用いて説明する。図１は本発明の一実施例を示す斜視透視図であり、図２は後方からの斜視透視図である。
【００１１】
衛生洗浄装置１は、人体の局部を清浄な水もしくは温水で洗浄する装置である。給水源から水の供給を、給水管２から給水管取付口２５を有する分岐金具３にて行い、前記分岐金具３にて前記装置内部の便器洗浄の水の制御する水路開閉手段を有した便器洗浄バルブ装置４と局部洗浄の水の制御する水路開閉手段を有したに給水装置５に給水するように分岐する。前記給水装置５の下流に接続される温水タンク６で温水と成し、局部洗浄用ノズル７を伸出させ先端の吐水口７ａから温水を吐水させ、便座８に着座している使用者の局部を洗浄する。前記局部洗浄用ノズル７は、通常状態では前記衛生洗浄装置１の内部に収納され、本体ケース１０にて覆われている。
また、本体ケース１０の内面には、便座８、便ふた９の開閉制御を行う開閉制御装置１１（ソフト閉止装置又は自動開閉装置）が固定されている。
【００１２】
この人体局部洗浄用の吐水は、通常３０〜４０℃程度の温水を毎分数百ミリリットル程度噴出するものであり、一回の洗浄時間は数十秒であるから、その洗浄水量は一回の局部洗浄につき１リットル以上に及ぶ場合がある。
【００１３】
前記衛生洗浄装置１と便器１３は、略同一幅で構成され、便器洗浄方式はロータンク式ではなく、給水源の圧力を使い便器洗浄を行う、直接圧力洗浄方式である。そのため、ロータンク方式と違い、ロータンクレスでコンパクト化が実現している。該便器洗浄は、前記衛生洗浄装置１の中央に配置される前記便器洗浄バルブ装置４にて前記衛生洗浄装置１の制御装置１４から制御信号にて便器洗浄水の開閉弁の制御がされ便器洗浄ノズル１２にてサイフォン現象を起こし便器洗浄を行う。また、前記制御装置１４は、例えば温水タンク６の温度制御、給水装置５の開閉制御等の局部洗浄動作制御や後述する脱臭装置１５の駆動制御や室内暖房装置１７、乾燥装置１６の駆動制御、温度制御等を行う。
【００１４】
前記温水タンク６、前記局部洗浄用ノズル７、脱臭装置１５、室内暖房装置１７及び制御装置１４等を収納する本体ケース１０には、便座８、便ふた９の前記開閉制御装置１１（ソフト閉止装置又は自動開閉装置）が配置されている。本体ケース１０の内面には、前記開閉制御装置１１から前記制御装置１４への信号線の整線用フック部材（図示なし）が取り付けられている。フック部材と本体ケース１０の取り付け構造は、ケースより取り付けボスを立て、フック部材の取り付け穴（図示なし）に挿入し、前記ボスを熱で溶かし取り付け固定する。これにより、従来フック部材の取り付けは両面テープであったが両面テープ固定では、本体ケース１０内の結露などで、はがれ落ちることがあるが、前記固定方法にすることにより、防止することが可能となる。
【００１５】
前記本体ケース１０は、前記給水管取付口２５の反対の側面に後述する脱臭装置１５の排気口２１と室内暖房装置１７の吹出し口２２の、共用の風向部材１８が、取り付けられている。前記風向部材１８は、前記本体ケース１０と別体で構成され取り付けられるが、ケースと一体に形成することも可能である。
【００１６】
図３は前記衛生洗浄装置１の本体ケース１０と制御装置１４を外した斜視図である。
前記衛生洗浄装置１は、使用者の局部を洗浄する前記局部洗浄用ノズル７を備えると同時に脱臭装置１５をも備えている。前記脱臭装置１５は、使用者が前記衛生洗浄装置１を使用していると判断されるとき、すなわち前記便座８に使用者が着座していると着座センサー１９（図１）からの信号で判断される場合に自動的に便器１３内に発生する臭気を分解・脱臭する装置である。前記脱臭装置１５の排気口２１は、使用者に排気風が当たらない無いように、前記給水管取付口２５と反対の側面に設けている。また、前記局部洗浄用ノズル７の伸出用に、前記局部洗浄用ノズル７の下部に開口部２０が設けられている。前記温水タンク６は、前記給水装置５と同じ側に配し、前記局部洗浄用ノズル７挟んで逆側に局部の洗浄水を温風にて乾燥させる乾燥装置１６、前記脱臭装置１５が配されている。これにより、前記給水装置５から前記温水タンク６までのチューブ配管（図示なし）が短くできる。
【００１７】
前記衛生洗浄装置１の背面から前記給水管取付口２５と反対の側面にかけてトイレ室内を暖房する室内暖房装置１７が構成されている。前記室内暖房装置１７は、室内暖房装置１７の温風吹出し口２２は、給水管取付口２５と反対の側面に構成されている。
【００１８】
図４は、前記本体ケース１０を内面から見た斜視図である。
前記風向部材１８には、前記脱臭装置１５の排気口側１８ａと室内暖房装置１７の吹出し口側１８ｂがあり、前記脱臭装置１５の排気口側１８ａには、後述する脱臭排気ダクト１５ｅとの密閉構造用の排気口１８ａ側にパッキン１５ｇが両面テープにて取り付けられている。
【００１９】
図５は、前記衛生洗浄装置１の本体ケース１０を外した斜視図である。
前記制御装置１４のケース側面に湿気侵入防止部材Ａ２３が両面テープにて取付けられ、また、乾燥装置１６上面に湿気侵入防止部材Ｂ２４が両面テープにて取付けられている。湿気侵入防止部材の材質は、発泡パッキンである。発泡パッキンは、本体ケース１０を取付けた場合、ケース内面と当接し、湿気の侵入を防ぐ。
【００２０】
図６は、脱臭装置１５の分解図、図７は、脱臭装置１５の密閉構造の模式図である。
前記脱臭装置１５は、脱臭ファン１５ａを回転させ模式的に表してある矢印Ａの方向に周囲空気を脱臭装置１５の吸引口１５ｂから吸引し、脱臭ファンダクト１５ｃに備えられている脱臭用触媒１５ｄにより脱臭し、脱臭装置排気口２１を介して本体ケース排気口１５ｆより、前記衛生洗浄装置１の本体ケース１０の外部に模式的に矢印Ｂで示されているような方向すなわち前記衛生洗浄装置１の略後方または略側面へ排出する動作を行なう。
【００２１】
前記衛生洗浄装置１が使用されるトイレ空間（図示無し）には、本実施例では室内暖房装置１７があるが、いまだ前記室内暖房装置１７が備えつけられている場合はあまり多くなく、特に冬場の使用時にはかなり気温が下がっている場合が多い。このように前記衛生洗浄装置１の使用状況は季節によっては気温の低い場合があり、そのように前記衛生洗浄装置１周囲の気温が低い場合に大量の温水を局部洗浄に利用した場合、いわゆる湯気が大量に発生し、周囲に高湿度空気が放出されることになる。
【００２２】
前記脱臭装置１５は、脱臭排気ダクト１５ｅと風向部材１８の間、脱臭排気ダクト１５ｅと脱臭ファンダクト１５ｃの間及び脱臭ファンダクト１５ｃと脱臭吸引ダクト１５ｈの間にそれぞれパッキン１５ｇを有することによって各部品間の接続部の隙間をなくし密閉構造としているので、前記脱臭装置１５の作動により矢印Ａの方向から吸引された湿気を帯びた空気を本体ケース１０の外部に模式的に示されている矢印Ｂの方向に確実に排出させることができる。また、脱臭排気ダクト１５ｅの材質を弾性体で形成し、脱臭ファンダクト１５ｃとの接合部を当接し密閉することも可能となる。これによって、前記衛生洗浄装置１内部での結露発生を防止することができる。
【００２３】
以上により、便器１３からの湿気の侵入を防止する前記湿気侵入防止部材２３、２４を、前記本体内に構成することより、前記局部洗浄用ノズル７の開口部２０からの湿気侵入を防止できる。また、脱臭ダクトを構成している各部品間及び脱臭排気ダクト１５ｅと前記風向部材１８の間に排気口側パッキン１５ｇを有することにより、臭気吸引口１５ｂから排気口１５ｆまでを構成するダクトに密閉構造を持たせているので、前記衛生洗浄装置１内に湿気を帯びた空気が侵入し、停留・滞留することがなく前記衛生洗浄装置１の内部に結露水が発生することが無い。これにより、電子部品の結露水によるショート故障などの不具合の発生を防止することができる。さらに前記結露水の発生が大量の場合は前記衛生洗浄装置１の外部に前記結露水が漏れだして床などを濡らしてしまう不具合を防止することができる。
【００２４】
なお、パッキン類１５ｇ及び湿気侵入防止部材２３、２４は、ゴム系、発泡系のどれであっても脱臭装置１５の排気口２１と衛生洗浄装置１外郭ケース部との隙間及び脱臭ダクトを構成する部品間の接続部の隙間をなくせるものであればどれでも差し支えなく、また、便器１３内の湿気を本体内に侵入防止できれば差し支えない。また、前記湿気を帯びた空気とは、局部洗浄によって前記局部洗浄用ノズル７の吐水口７ａ周辺に発生する空気を意味する。
【図面の簡単な説明】
【図１】衛生洗浄装置の視透視図
【図２】衛生洗浄装置の後方からの斜視透視図
【図３】衛生洗浄装置の本体ケースと制御装置を外した斜視図
【図４】本体ケースを内面から見た斜視図
【図５】衛生洗浄装置の本体ケースを外した斜視図
【図６】脱臭装置の分解図
【図７】脱臭装置の密閉構造の模式図
【符号の説明】
１…衛生洗浄装置
２…給水管
３…分岐金具
４…便器洗浄バルブ装置
５…給水装置
６…温水タンク
７…局部洗浄用ノズル
７ａ…吐水口
８…便座
９…便ふた
１０…本体ケース
１１…開閉制御装置
１２…便器洗浄ノズル
１３…便器
１４…制御装置
１５…脱臭装置
１５ａ…脱臭ファン
１５ｂ…吸引口
１５ｃ…脱臭ファンダクト
１５ｄ…脱臭用触媒
１５ｅ…排気ダクト
１５ｆ…本体ケース排気口
１５ｇ…脱臭ユニット接合部パッキン
１５ｈ…吸引ダクト
１６…乾燥装置
１７…室内暖房装置
１８…風向部材
１８ａ…排気口側
１８ｂ…吹出し口側
１９…着座センサー
２０…開口部
２１…脱臭排気口
２２…温風吹出し口
２３…湿気侵入防止部材Ａ
２４…湿気侵入防止部材Ｂ
２５…給水管取付口
【図１】
2004232404.tif 000003
【図２】
2004232404.tif 000004
【図３】
2004232404.tif 000005
【図４】
2004232404.tif 000006
【図５】
2004232404.tif 000007
【図６】
2004232404.tif 000008
【図７】
2004232404.tif 000009
【手続補正書】
【提出日】平成16年4月28日(2004.4.28)
【手続補正１】
【補正対象書類名】図面
【補正対象項目名】図５
【補正方法】変更
【補正の内容】
【図５】
2004232404.tif 000010